(57)【要約】【課題】滑り難さを確保しつつも清掃が容易な縦手すりを提供すること。【解決手段】縦手すり１００によれば、親指の第１関節を折り曲げて第１角部１４に掛止できると共に親指以外の少なくとも１指の第１関節を折り曲げて第２角部１５に掛止できるので、安定した状態でしっかりと支持部材１を握ることができる。更に、対向面部１１は、外方へ凸の円弧状に形成されているので、対向面部１１への手の平の接触面積を大きく確保でき、支持部材１と手の平との間に生じる摩擦力を高めることができる。このように、安定した状態でしっかりと支持部材１を握ることができると共に支持部材１と手の平との間に生じる摩擦力を高めることができるので、滑り難さを確保できる。また、支持部材１の表面に凹凸を設けなくとも滑り難さを確保できるので、滑り難さを確保しつつも清掃を容易とすることができる。【選択図】図２
2010138664.tif 000002
【特許請求の範囲】
【請求項１】
垂直に延設される支持部材を備え、使用者が前記支持部材を握って体重を支える縦手すりにおいて、
前記支持部材は、
その支持部材の一側面をなす側面部と、
その側面部に対向すると共に前記支持部材の長手方向と直交する断面において外方へ凸の円弧状に形成され前記使用者の手の平で覆われる対向面部と、
前記側面部に交差する第１交差面部と、
その第１交差面部に対向して前記側面部に交差する第２交差面部と、
前記側面部および前記第１交差面部が交差する角部であって前記使用者の親指の第１関節が掛止される第１角部と、
前記側面部および前記第２交差面部が交差する角部であって前記使用者の親指以外の少なくとも１指の第１関節が掛止される第２角部とを備えていることを特徴とする縦手すり。
【請求項２】
前記第１角部および前記第２角部は、前記支持部材の長手方向と直交する断面においていずれも外方へ凸の円弧状に形成されていることを特徴とする請求項１記載の縦手すり。
【請求項３】
前記対向面部は、前記第１交差面部に連設される第１円弧部と、前記第２交差面部に連設される第２円弧部とを備え、
前記第１円弧部および前記第２円弧部は、前記支持部材の長手方向と直交する断面において前記第１円弧部の円弧半径が前記第２円弧部の円弧半径よりも小さく構成されていることを特徴とする請求項１又は２に記載の縦手すり。
【請求項４】
前記側面部は、平坦面状に形成され、
前記第１交差面部および前記第２交差面部は、いずれも平坦面状に形成されると共に前記側面部に対して傾斜するように構成され、前記第１交差面部は、前記側面部とのなす角度が鈍角とされる一方、前記第２交差面部は、前記側面部とのなす角度が鋭角とされていることを特徴とする請求項１から３のいずれかに記載の縦手すり。
【請求項５】
前記第１交差面部および前記第２交差面部は、前記支持部材の長手方向と直交する断面においていずれも外方へ凸の円弧状に形成されていることを特徴とする請求項１又は２に記載の縦手すり。
【発明の詳細な説明】
【技術分野】
【０００１】
本発明は、縦型の縦手すりに関し、特に、滑り難さを確保しつつも清掃が容易な縦手すりに関するものである。
【背景技術】
【０００２】
従来、トイレ又は浴室あるいは洗面所などには、使用者の動作を補助する補助具として、縦型の縦手すりが設置されている。この種の縦手すりでは、使用者が手で握って体重を支えるために、滑り難さの確保が必要とされている。
【０００３】
そこで、例えば、特許文献１には、表面に凹凸加工を施して滑り止めを付与した縦手すりが開示されている。また、特許文献２には、回転体状に形成される多数の握り部を結合して手すり本体を構成し、手すり本体の表面に凹凸を設けた縦手すりが開示されている。  
【特許文献１】特開平９−１９２０５３号公報
【特許文献２】特開２００７−７０９３６号公報
【発明の開示】
【発明が解決しようとする課題】
【０００４】
しかしながら、特許文献１及び２に開示される縦手すりでは、表面に凹凸が生じるので、滑り難さを確保できる反面、清掃が困難となるという問題点があった。
【０００５】
本発明は、上述した問題点を解決するためになされたものであり、滑り難さを確保しつつも清掃が容易な縦手すりを提供することを目的としている。
【課題を解決するための手段】
【０００６】
この目的を達成するために、請求項１記載の縦手すりは、垂直に延設される支持部材を備え、使用者が前記支持部材を握って体重を支えるものであって、前記支持部材は、その支持部材の一側面をなす側面部と、その側面部に対向すると共に前記支持部材の長手方向と直交する断面において外方へ凸の円弧状に形成され前記使用者の手の平で覆われる対向面部と、前記側面部に交差する第１交差面部と、その第１交差面部に対向して前記側面部に交差する第２交差面部と、前記側面部および前記第１交差面部が交差する角部であって前記使用者の親指の第１関節が掛止される第１角部と、前記側面部および前記第２交差面部が交差する角部であって前記使用者の親指以外の少なくとも１指の第１関節が掛止される第２角部とを備えている。
【０００７】
請求項２記載の縦手すりは、請求項１記載の縦手すりにおいて、前記第１角部および前記第２角部は、前記支持部材の長手方向と直交する断面においていずれも外方へ凸の円弧状に形成されている。
【０００８】
請求項３記載の縦手すりは、請求項１又は２に記載の縦手すりにおいて、前記対向面部は、前記第１交差面部に連設される第１円弧部と、前記第２交差面部に連設される第２円弧部とを備え、前記第１円弧部および前記第２円弧部は、前記支持部材の長手方向と直交する断面において前記第１円弧部の円弧半径が前記第２円弧部の円弧半径よりも小さく構成されている。
【０００９】
請求項４記載の縦手すりは、請求項１から３のいずれかに記載の縦手すりにおいて、前記側面部は、平坦面状に形成され、前記第１交差面部および前記第２交差面部は、いずれも平坦面状に形成されると共に前記側面部に対して傾斜するように構成され、前記第１交差面部は、前記側面部とのなす角度が鈍角とされる一方、前記第２交差面部は、前記側面部とのなす角度が鋭角とされている。
【００１０】
請求項５記載の縦手すりは、請求項１又は２に記載の縦手すりにおいて、前記第１交差面部および前記第２交差面部は、前記支持部材の長手方向と直交する断面においていずれも外方へ凸の円弧状に形成されている。
【発明の効果】
【００１１】
請求項１記載の縦手すりによれば、使用者が支持部材を握った場合には、対向面部が手の平で覆われ、第１角部に親指の第１関節が掛止されると共に第２角部に親指以外の少なくとも１指の第１関節が掛止される。よって、親指の第１関節を折り曲げて第１角部に掛止できると共に親指以外の少なくとも１指の第１関節を折り曲げて第２角部に掛止できるので、支持部材への親指および親指以外の少なくとも１指の引っ掛かりを良くできると共に指先に力を入れて支持部材を握ることができ、安定した状態でしっかりと支持部材を握ることができる。更に、対向面部は、支持部材の長手方向と直交する断面において外方へ凸の円弧状に形成されているので、手の平を沿わせ易く、その分、対向面部への手の平の接触面積を大きく確保できる。これにより、支持部材と手の平との間に生じる摩擦力を高めることができる。
【００１２】
このように、本発明によれば、使用者が支持部材を握って体重を支える場合に、安定した状態でしっかりと支持部材を握ることができると共に支持部材と手の平との間に生じる摩擦力を高めることができるので、滑り難さを確保できるという効果がある。また、支持部材の表面に凹凸を設けなくとも滑り難さを確保できるので、従来の手すりのように清掃が困難となることはなく、滑り難さを確保しつつも清掃を容易とすることができるという効果がある。
【００１３】
請求項２記載の縦手すりによれば、請求項１記載の縦手すりの奏する効果に加え、第１角部および第２角部は、支持部材の長手方向と直交する断面においていずれも外方へ凸の円弧状に形成されているので、親指の第１関節および親指以外の少なくとも１指の第１関節をそれぞれ密着させ易く、その分、より安定した状態でしっかりと支持部材を握ることができるという効果がある。従って、滑り難さを一層確保できる。
【００１４】
請求項３記載の縦手すりによれば、請求項１又は２に記載の縦手すりの奏する効果に加え、対向面部の第１円弧部および第２円弧部は、支持部材の長手方向と直交する断面において第１円弧部の円弧半径が第２円弧部の円弧半径よりも小さく構成されているので、親指の付け根付近で覆われる第１円弧部の円弧半径を小さくできる分、支持部材を手の平で深く包み込むことができる。よって、より安定した状態でしっかりと支持部材を握ることができるという効果がある。従って、滑り難さを一層確保できる。
【００１５】
請求項４記載の縦手すりによれば、請求項１から３のいずれかに記載の縦手すりの奏する効果に加え、第１交差面部および第２交差面部は、いずれも側面部に対して傾斜するように構成され、第１交差面部は、側面部とのなす角度が鈍角とされているので、第１交差面部に親指を沿わせ易くできる。即ち、使用者は、第１角部に親指の第１関節を掛止するために、通常、第１角部側から支持部材にアプローチする（支持部材を握る）ので、第１交差面部と側面部とのなす角度を鈍角とし、使用者が支持部材にアプローチする側へ第１交差面部を傾斜させることで、親指を無理に曲げなくとも第１交差面部に沿わせることができる。
【００１６】
一方、第２交差面部は、側面部とのなす角度が鋭角とされているので、親指以外の少なくとも１指の第１関節を鋭角に折り曲げて第２角部に掛止でき、第２角部への親指以外の少なくとも１指の引っ掛かりをより良くできる。よって、親指を第１交差面部に沿わせ易くできると共に第２角部への親指以外の少なくとも１指の引っ掛かりをより良くできるので、より安定した状態でしっかりと支持部材を握ることができる。従って、滑り難さを一層確保できる。
【００１７】
請求項５記載の縦手すりによれば、請求項１又は２に記載の縦手すりの奏する効果に加え、第１交差面部および第２交差面部は、支持部材の長手方向と直交する断面においていずれも外方へ凸の円弧状に形成されているので、対向面部を手の平で覆った状態から親指および親指以外の指を無理に曲げなくとも第１交差面部および第２交差面部にそれぞれ沿わせることができる。よって、親指および親指以外の指を第１交差面部および第２交差面部に沿わせ易く、その分、より安定した状態でしっかりと支持部材を握ることができる。従って、滑り難さを一層確保できる。
【発明を実施するための最良の形態】
【００１８】
以下、本発明の好ましい実施の形態について添付図面を参照して説明する。まず、図１から図３を参照して、本発明の第１実施の形態における縦手すり１００について説明する。図１は、第１実施の形態における縦手すり１００の斜視図であり、図２は、図１のＩＩ−ＩＩ線における縦手すり１００の断面図である。また、図３（ａ）及び（ｂ）は、縦手すり１００の使用方法を説明する図である。なお、図１から図３では、縦手すり１００がトイレＴに設置された状態を示している。
【００１９】
まず、図１を参照して、縦手すり１００の概略構成について説明する。縦手すり１００は、例えば、足腰の弱った高齢者や足の不自由な身障者（以下「使用者」と称す）の立ち上がり動作を補助する補助具としてトイレＴに設置されるものであり、図１に示すように、使用者が握って体重を支えるための支持部材１と、その支持部材１を支持してトイレＴの壁面Ｗに固定するための固定部材２とを備えて構成されている。
【００２０】
支持部材１は、トイレＴの壁面Ｗに沿って垂直に延設される部材であり、図１に示すように、棒状に構成されている。なお、垂直とは、支持部材１の延設方向が水平方向と直交する場合のみを限定するものではなく、支持部材１の延設方向が垂直方向に対して所定角度（例えば、±５°）以内で傾斜する場合を含む趣旨である。
【００２１】
固定部材２は、ねじ等（図示せず）によりトイレＴの壁面Ｗに取り付けられる部材であり、図１に示すように、支持部材１を上下両端２か所で支持するように構成されている。なお、固定部材２による支持部材１の支持位置は、必ずしも上下両端２か所に限られるものではなく、例えば、長手方向の全域を固定部材２で支持するように構成しても良い。
【００２２】
次いで、図２を参照して、支持部材１の詳細構成について説明する。なお、図２では、支持部材１の長手方向と直交する断面を示しており、図中の矢印Ｆ−Ｂ及びＬ−Ｒは、使用者Ｐから縦手すり１００を視た場合の左右方向および前後方向をそれぞれ表している。また、図２では、使用者Ｐの手を二点鎖線で図示し、使用者Ｐが支持部材１を握った状態を示している。
【００２３】
図２に示すように、支持部材１は、長手方向と直交する断面において、側面部１０と、その側面部１０に対向する対向面部１１と、側面部１０に交差する第１交差面部１２と、その第１交差面部１２に対向して側面部１０に交差する第２交差面部１３と、側面部１０及び第１交差面部１２が交差する角部をなす第１角部１４と、側面部１０及び第２交差面部１３が交差する角部をなす第２角部１５とを主に備えて構成されている。なお、支持部材１は、長手方向と直交する断面が長手方向の全域で一様とされている。
【００２４】
側面部１０は、支持部材１の側面（使用者Ｐから縦手すり１００を視た場合に左右方向を向く面）のうち使用者Ｐに近い側（矢印Ｌ側）の側面をなす部位であり、図２に示すように、平坦面状に形成されている。また、対向面部１１は、支持部材１の側面のうち使用者Ｐから遠い側（矢印Ｒ側）の側面をなす部位であり、図２に示すように、外方へ凸の円弧状に形成されている。この対向面部１１は、後述するように、使用者Ｐが支持部材１を握った場合には、通常、手の平で覆われる部位となる。
【００２５】
第１交差面部１２は、支持部材１の後面（使用者Ｐから縦手すり１００を視た場合に後方を向く面）をなす部位であり、図２に示すように、平坦面状に形成され、対向面部１１の端部に連設されている。この第１交差面部１２は、図２の二点鎖線で示すように、使用者Ｐが対向面部１１を手の平で覆うようにして支持部材１を握った場合には、親指が接する部位となる。また、第２交差面部１３は、支持部材１の前面（使用者Ｐから縦手すり１００を視た場合に前方を向く面）をなす部位であり、図２に示すように、平坦面状に形成され、対向面部１１の端部であって第１交差面部１２が連設される側とは反対側の端部に連設されている。この第２交差面部１３は、図２の二点鎖線で示すように、使用者Ｐが対向面部１１を手の平で覆うようにして支持部材１を握った場合には、親指以外の指（人指し指から小指までの４本の指）が接する部位となる。
【００２６】
第１角部１４は、上述したように、側面部１０及び第１交差面部１２が交差する角部をなす部位であり、図２に示すように、外方へ凸の円弧状に形成されている。これにより、図２の二点鎖線で示すように、使用者Ｐが対向面部１１を手の平で覆うようにして支持部材１を握った場合には、親指の第１関節を折り曲げて第１角部１４に掛止できる。よって、支持部材１への親指の引っ掛かりを良くできると共に指先に力を入れて支持部材１を握ることができ、安定した状態でしっかりと支持部材１を握ることができる。また、第１角部１４は、外方へ凸の円弧状に形成されているので、親指の第１関節を密着させ易く、その分、より安定した状態でしっかりと支持部材１を握ることができる。
【００２７】
第２角部１５は、上述したように、側面部１０及び第２交差面部１３が交差する角部をなす部位であり、図２に示すように、外方へ凸の円弧状に形成されている。これにより、図２の二点鎖線で示すように、使用者Ｐが対向面部１１を手の平で覆うようにして支持部材１を握った場合には、親指以外の少なくとも１指（図２では中指）の第１関節を折り曲げて第２角部１５に掛止できる。よって、支持部材１への親指以外の少なくとも１指の引っ掛かりを良くできると共に指先に力を入れて支持部材１を握ることができ、安定した状態でしっかりと支持部材１を握ることができる。また、第２角部１５は、外方へ凸の円弧状に形成されているので、親指以外の少なくとも１指の第１関節を密着させ易く、その分、より安定した状態でしっかりと支持部材１を握ることができる。
【００２８】
また、図２に示すように、上述した第１交差面部１２及び第２交差面部１３は、いずれも側面部１０に対して傾斜するように構成され、第１交差面部１２は、側面部１０とのなす角度αが鈍角とされている。これにより、第１交差面部１２に親指を沿わせ易くできる。即ち、使用者Ｐは、図２の二点鎖線で示すように、縦手すり１００の後方側（矢印Ｂ側）から支持部材１にアプローチする（支持部材１を握る）ので、第１交差面部１２と側面部１０とのなす角度αを鈍角とし、使用者Ｐが支持部材１にアプローチする側へ第１交差面部１２を傾斜させることで、親指を無理に曲げなくとも第１交差面部１２に沿わせることができる。一方、第２交差面部１３は、側面部１０とのなす角度βが鋭角とされている。これにより、親指以外の少なくとも１指の第１関節を鋭角に折り曲げて第２角部１５に掛止でき、第２角部１５への親指以外の少なくとも１指の引っ掛かりをより良くできる。よって、親指を第１交差面部１２に沿わせ易くできると共に第２角部１５への親指以外の少なくとも１指の引っ掛かりをより良くできるので、より安定した状態でしっかりと支持部材１を握ることができる。
【００２９】
また、図２に示すように、上述した対向面部１１は、第１交差面部１２の端部であって側面部１０側とは反対側に連設される第１円弧部１１ａと、第２交差面部１３の端部であって側面部１０とは反対側に連設される第２円弧部１１ｂとを備え、それら第１円弧部１１ａ及び第２円弧部１１ｂは、第１円弧部１１ａの円弧半径Ｒ１が第２円弧部１１ｂの円弧半径Ｒ２よりも小さく構成されている。これにより、親指の付け根付近で覆われる第１円弧部１１ａの円弧半径Ｒ１を小さくできるので、支持部材１を手の平で深く包み込むことができる。よって、より安定した状態でしっかりと支持部材１を握ることができる。ここで、本実施の形態のように、使用者Ｐが支持部材１にアプローチする側へ第１交差面部１２を傾斜させる構成にあっては、特に対向面部１１がアプローチ側へ張り出すので、親指の付け根付近で覆われる第１円弧部１１ａの円弧半径Ｒ１を小さくできることは、支持部材１を手の平で深く包み込むための有効な手段となる。
【００３０】
なお、本実施の形態では、第１交差面部１２と側面部１０とのなす角度αが１２０°に、第２交差面部１３と側面部１０とのなす角度βが８０°に、第１円弧部１１ａの円弧半径Ｒ１が１４ｍｍに、第２円弧部１１ｂの円弧半径Ｒ２が２５ｍｍに、それぞれ設定されると共に、支持部材１の周長（外周の長さ）が略１４５ｍｍとされている。但し、支持部材１の周長は、必ずしもこれに限られるものではなく、親指の先端と人差し指の先端とが触れる状態で円を作った場合に、その円の直径が成人男女において最大となる４９ｍｍでの周長、即ち、略１５４ｍｍ以下であって、且つ、かかる円の直径の２．５パーセンタイル値（高齢男女では１０パーセンタイル値）となる３３ｍｍでの周長、即ち、略１０３ｍｍ以上であることが望ましい。これにより、安定した状態でしっかりと支持部材１を握ることができる。なお、パーセンタイル値とは、データの分布（ばらつき）を小さい方から並べてパーセントで表した数値であり、上記の場合では、かかる円の直径が１００人中２．５番目に小さい人のデータに相当する。
【００３１】
次いで、図３を参照して、上述したように構成される縦手すり１００の使用方法について説明する。なお、図３では、使用者Ｐを二点鎖線で図示し、使用者Ｐが便器Ｓに座った状態から縦手すり１００を使用して立ち上がる様子を示している。
【００３２】
使用者Ｐは、便器Ｓに座った状態から立ち上がろうとする場合、まず、図３（ａ）に示すように、便器Ｓに座ったまま片手で支持部材１を握る。この場合、使用者Ｐは、通常、縦手すり１００に近い側の手で支持部材１を握るので、使用者Ｐから遠い側の側面となる対向面部１１が手の平で覆われる。
【００３３】
次いで、使用者Ｐは、図３（ｂ）に示すように、支持部材１を握って体重を支えつつ便器Ｓに座った状態から立ち上がる。この場合、使用者Ｐは、第１角部１４に親指の第１関節を掛止すると共に第２角部１５に親指以外の少なくとも１指の第１関節を掛止することで、上述したように、安定した状態でしっかりと支持部材１を握ることができる。また、手の平で覆われる対向面部１１は、外方へ凸の円弧状に形成されているので、手の平を沿わせ易く、その分、支持部材１への手の平の接触面積を大きく確保できる。これにより、支持部材１と手の平との間に生じる摩擦力を高めることができる。
【００３４】
このように、本実施の形態における縦手すり１００によれば、使用者Ｐが支持部材１を握って体重を支える場合に、安定した状態でしっかりと支持部材１を握ることができると共に支持部材１と手の平との間に生じる摩擦力を高めることができるので、滑り難さを確保できる。また、支持部材１の表面に凹凸を設けなくとも滑り難さを確保できるので、滑り難さを確保しつつも清掃を容易とすることができる。
【００３５】
次いで、図４を参照して、第２実施の形態における縦手すり２００について説明する。第２実施の形態における縦手すり２００は、第１実施の形態における縦手すり１００の支持部材１を変更したものである。以下、第１実施の形態と同一の部分については同一の符号を付して、その説明を省略する。図４は、第２実施の形態における縦手すり２００の断面図である。なお、図４では、縦手すり２００がトイレＴに設置された状態を示している。
【００３６】
まず、第２実施の形態における縦手すり２００の概略構成について説明する。縦手すり２００は、使用者が握って体重を支えるための支持部材２０１と、その支持部材２０１を支持してトイレＴの壁面Ｗに固定するための固定部材２（図１参照）とを備えて構成されている。支持部材２０１は、トイレＴの壁面Ｗに沿って垂直に延設される部材であり、第１実施の形態における縦手すり１００の支持部材１と同様に、棒状に構成されている。
【００３７】
次いで、図４を参照して、支持部材２０１の詳細構成について説明する。なお、図４では、支持部材２０１の長手方向と直交する断面を示しており、図中の矢印Ｆ−Ｂ及びＬ−Ｒは、使用者Ｐから縦手すり２００を視た場合の左右方向および前後方向をそれぞれ表している。また、図４では、使用者Ｐの手を二点鎖線で図示し、使用者Ｐが支持部材２０１を握った状態を示している。
【００３８】
図４に示すように、支持部材２０１は、長手方向と直交する断面において、側面部２１０と、その側面部２１０に対向する対向面部２１１と、側面部２１０に交差する第１交差面部２１２と、その第１交差面部２１２に対向して側面部２１０に交差する第２交差面部２１３と、側面部２１０及び第１交差面部２１２が交差する角部をなす第１角部２１４と、側面部２１０及び第２交差面部２１３が交差する角部をなす第２角部２１５とを主に備えて構成されている。なお、支持部材２０１は、長手方向と直交する断面が長手方向の全域で一様とされている。
【００３９】
側面部２１０は、支持部材２０１の側面（使用者Ｐから縦手すり２００を視た場合に左右方向を向く面）のうち使用者Ｐに近い側（矢印Ｌ側）の側面をなす部位であり、図４に示すように、外方へ凸の円弧状に形成されている。また、対向面部２１１は、支持部材２０１の側面のうち使用者Ｐから遠い側（矢印Ｒ側）の側面をなす部位であり、図４に示すように、外方へ凸の円弧状に形成されている。この対向面部２１１は、使用者Ｐから遠い側の側面となるので、第１実施の形態で説明したのと同様に、使用者Ｐが支持部材２０１を握った場合には、通常、手の平で覆われる部位となる。
【００４０】
第１交差面部２１２は、支持部材２０１の後面（使用者Ｐから縦手すり２００を視た場合に後方を向く面）をなす部位であり、図４に示すように、外方へ凸の円弧状に形成され、その円弧半径がＲ３とされている。この第１交差面部２１２は、図４の二点鎖線で示すように、使用者Ｐが対向面部２１１を手の平で覆うようにして支持部材２０１を握った場合には、親指が接する部位となる。また、第２交差面部２１３は、支持部材２０１の前面（使用者Ｐから縦手すり２００を視た場合に前方を向く面）をなす部位であり、図４に示すように、外方へ凸の円弧状に形成され、その円弧半径がＲ４とされている。この第２交差面部２１３は、図４の二点鎖線で示すように、使用者Ｐが対向面部２１１を手の平で覆うようにして支持部材２０１を握った場合には、親指以外の指が接する部位となる。
【００４１】
第１角部２１４は、上述したように、側面部２１０及び第１交差面部２１２が交差する角部をなす部位であり、図４に示すように、外方へ凸の円弧状に形成されている。これにより、図４の二点鎖線で示すように、使用者Ｐが対向面部２１１を手の平で覆うようにして支持部材２０１を握った場合には、親指の第１関節を折り曲げて第１角部２１４に掛止できる。よって、第１実施の形態における縦手すり１００の場合と同様に、支持部材２０１への親指の引っ掛かりを良くできると共に指先に力を入れて支持部材２０１を握ることができ、安定した状態でしっかりと支持部材２０１を握ることができる。
【００４２】
第２角部２１５は、上述したように、側面部２１０及び第２交差面部２１３が交差する角部をなす部位であり、図４に示すように、外方へ凸の円弧状に形成されている。これにより、図４の二点鎖線で示すように、使用者Ｐが対向面部２１１を手の平で覆うようにして支持部材２０１を握った場合には、親指以外の少なくとも１指（図４では人差し指）の第１関節を折り曲げて第２角部２１５に掛止できる。よって、第１実施の形態における縦手すり１００の場合と同様に、支持部材２０１への親指の引っ掛かりを良くできると共に指先に力を入れて支持部材２０１を握ることができ、安定した状態でしっかりと支持部材２０１を握ることができる。
【００４３】
また、図４に示すように、側面部２１０及び対向面部２１１は、対向面部２１１の円弧半径Ｒ５が側面部２１０の円弧半径Ｒ６よりも小さく構成されている。これにより、支持部材１を手の平で深く包み込むことができる。よって、より安定した状態でしっかりと支持部材２０１を握ることができる。
【００４４】
なお、本実施の形態では、第１交差面部２１２の円弧半径Ｒ３が５５ｍｍに、第２交差面部２１３の円弧半径Ｒ４が５５ｍｍに、対向面部２１１の円弧半径Ｒ５が１４．５ｍｍに、側面部２１０の円弧半径Ｒ６が２５ｍｍに、それぞれ設定されると共に、支持部材２０１の周長（外周の長さ）が略１０９ｍｍとされている。但し、支持部材２０１の周長は、必ずしもこれに限られるものではなく、親指の先端と人差し指の先端とが触れる状態で円を作った場合に、その円の直径が成人男女において最大となる４９ｍｍでの周長、即ち、略１５４ｍｍ以下であって、且つ、かかる円の直径の２．５パーセンタイル値（高齢男女では１０パーセンタイル値）となる３３ｍｍでの周長、即ち、略１０３ｍｍ以上であることが望ましい。これにより、安定した状態でしっかりと支持部材２０１を握ることができる。
【００４５】
このように、本実施の形態における縦手すり２００によれば、第１交差面部２１２及び第２交差面部２１３は、いずれも外方へ凸の円弧状に形成されているので、対向面部２１１を手の平で覆った状態から親指および親指以外の指を無理に曲げなくとも第１交差面部２１２及び第２交差面部２１３にそれぞれ沿わせることができる。よって、親指および親指以外の指を第１交差面部２１２及び第２交差面部２１３に沿わせ易く、その分、より安定した状態でしっかりと支持部材２０１を握ることができる。よって、使用者Ｐが支持部材２０１を握って体重を支える場合に、滑り難さを確保できる。また、支持部材２０１の表面に凹凸を設けなくとも滑り難さを確保できるので、滑り難さを確保しつつも清掃を容易とすることができる。
【００４６】
ここで、上記各実施の形態において説明した平坦面状とは、表面に凹凸がなく、且つ、支持部材１，２０１の長手方向と直交する断面において表面が直線状に形成されていることを意味する。
【００４７】
以上、実施の形態に基づき本発明を説明したが、本発明は上記実施の形態に何ら限定されるものではなく、本発明の趣旨を逸脱しない範囲内で種々の改良変更が可能であることは容易に推察できるものである。
【００４８】
例えば、上記各実施の形態で挙げた数値（第１交差面部１２と側面部１０とのなす角度α、第２交差面部１３と側面部１０とのなす角度β、第１円弧部１１ａの円弧半径Ｒ１、第２円弧部１１ｂの円弧半径Ｒ２、第１交差面部２１２の円弧半径Ｒ３、第２交差面部２１３の円弧半径Ｒ４、対向面部２１１の円弧半径Ｒ５及び側面部２１０の円弧半径Ｒ６）は一例であり、他の数値を採用することは当然可能である。
【００４９】
上記各実施の形態では、縦手すり１００，２００がトイレＴに設置される場合を説明したが、必ずしもこれに限られるものではなく、例えば、縦手すり１００，２００を浴室や洗面所などに設置しても良く、或いは、廊下や階段などの通路に沿って設置しても良い。
【００５０】
上記各実施の形態では、縦手すり１００，２００がトイレＴの壁面のうち使用者Ｐから視た場合に右側の壁面Ｗに固定される場合を説明したが、必ずしもこれに限られるものではなく、例えば、縦手すり１００，２００をトイレＴの壁面のうち使用者Ｐから視た場合に前方の壁面に固定しても良い。
【００５１】
上記各実施の形態では、支持部材１，２０１の長手方向と直交する断面が長手方向の全域で一様とされる場合を説明したが、必ずしもこれに限られるものではなく、支持部材１，２０１の長手方向と直交する断面を長手方向の位置に応じて変更し、長手方向の所定位置（例えば、通常、使用者Ｐによって握られる支持部材１，２０１略中央部）のみを上記各実施の形態で説明した断面形状としても良い。
【００５２】
上記第１実施の形態では、支持部材１の長手方向と直交する断面において側面部１０、第１交差面部１２及び第２交差面部１３がいずれも平坦面状に形成される場合を説明したが、必ずしもこれに限られるものではなく、側面部１０、第１交差面部１２及び第２交差面部１３のいずれか又は全てを支持部材１の長手方向と直交する断面において外方へ凸の円弧状に形成しても良い。この場合には、支持部材１への親指および親指以外の指の接触面積をより大きく確保でき、支持部材１との間に生じる摩擦力を高めることができるので、滑り難さを一層確保できる。
【００５３】
また、上記第２実施の形態では、支持部材２０１の長手方向と直交する断面において側面部２１０、第１交差面部２１２及び第２交差面部２１３がいずれも外方へ凸の円弧状に形成される場合を説明したが、必ずしもこれに限られるものではなく、側面部２１０、第１交差面部２１２及び第２交差面部２１３のいずれか又は全てを平坦面状に形成しても良い。
【００５４】
上記第１実施の形態では、対向面部１１の円弧半径が第１円弧部１１ａと第２円弧部１１ｂとで変化するように構成される場合を説明したが、必ずしもこれに限られるものではなく、例えば、対向面部１１の円弧半径を一定に構成しても良く、或いは、第１円弧部１１ａと第２円弧部１１ｂとの間に平坦面状に形成される部位を設けても良い。
【００５５】
また、上記第２実施の形態では、対向面部２１１の円弧半径が一定に構成される場合を説明したが、必ずしもこれに限られるものではなく、例えば、対向面部２１１の円弧半径を第１交差面部２１２側と第２交差面部２１３側とで変化するように構成しても良い。
【図面の簡単な説明】
【００５６】
【図１】第１実施の形態における縦手すりの斜視図である。
【図２】図１（ａ）のＩＩ−ＩＩ線における縦手すりの断面図である。
【図３】（ａ）及び（ｂ）は、縦手すりの使用方法を説明する図である。
【図４】第２実施の形態における縦手すりの断面図である。
【符号の説明】
【００５７】
１００，２００            縦手すり
１，２０１                支持部材
１０，２１０              側面部
１１，２１１              対向面部
１１ａ                    第１円弧部
１１ｂ                    第２円弧部
１２，２１２              第１交差面部
１３，２１３              第２交差面部
１４，２１４              第１角部
１５，２１５              第２角部
Ｐ                        使用者
Ｒ１                      第１円弧部の円弧半径
Ｒ２                      第２円弧部の円弧半径
Ｒ５                      対向面部の円弧半径
Ｒ６                      側面部の円弧半径
【図１】
2010138664.tif 000003
【図２】
2010138664.tif 000004
【図３】
2010138664.tif 000005
【図４】
2010138664.tif 000006